(57)【特許請求の範囲】
【請求項１】
送信アンテナに設定周期でパルス電圧を入力するパルス入力回路と、
前記パルス入力回路によりパルス電圧が入力された際に、前記送信アンテナの共振周波数を可変させることで当該共振周波数のスイープを行う共振周波数可変回路と、
前記共振周波数可変回路により共振周波数のスイープが行われた際に、前記送信アンテナの周波数特性を検出する周波数特性検出回路と、
前記周波数特性検出回路による検出結果に基づいて、前記送信アンテナから発生される電磁界における異物の有無を検出する異物検出回路と、
前記異物検出回路により異物が検出された場合に、前記送信アンテナへの電力の供給を低減又は停止する電力制御回路とを備えた
ことを特徴とする共振型送信電源装置。
【請求項２】
前記周波数特性検出回路は、周波数特性として、前記送信アンテナからの反射電力の周波数、当該送信アンテナに入力される電圧の周波数、当該送信アンテナに入力される電流の周波数のうち少なくとも１つ以上を検出する
ことを特徴とする請求項１記載の共振型送信電源装置。
【請求項３】
前記周波数特性検出回路は、前記電圧と前記電流との位相差、前記反射電力、当該電圧及び当該電流の各振幅のうち少なくとも１つ以上を検出する
ことを特徴とする請求項２記載の共振型送信電源装置。
【請求項４】
前記送信アンテナは、受信アンテナとの間で磁界共鳴による無線電力伝送を行い、
前記共振周波数可変回路は、前記送信アンテナと前記受信アンテナとの間の共振条件を合わせる
ことを特徴とする請求項１記載の共振型送信電源装置。
【請求項５】
前記送信アンテナは、受信アンテナとの間で電界共鳴による無線電力伝送を行い、
前記共振周波数可変回路は、前記送信アンテナと前記受信アンテナとの間の共振条件を合わせる
ことを特徴とする請求項１記載の共振型送信電源装置。
【請求項６】
前記送信アンテナは、受信アンテナとの間で電磁誘導による無線電力伝送を行い、
前記共振周波数可変回路は、前記送信アンテナと前記受信アンテナとの間の共振条件を合わせる
ことを特徴とする請求項１記載の共振型送信電源装置。
【請求項７】
対応する送信アンテナへの電力の供給を制御する共振型送信電源装置を複数系統備え、当該各送信アンテナが共通の共振周波数により動作する共振型送信電源システムであって、
前記共振型送信電源装置は、
前記対応する送信アンテナに設定周期でパルス電圧を入力するパルス入力回路と、
前記パルス入力回路によりパルス電圧が入力された際に、前記対応する送信アンテナの前記共通の共振周波数を可変させることで当該共振周波数のスイープを行う共振周波数可変回路と、
前記共振周波数可変回路により共振周波数のスイープが行われた際に、前記対応する送信アンテナの周波数特性を検出する周波数特性検出回路と、
前記周波数特性検出回路による検出結果に基づいて、前記対応する送信アンテナから発生される電磁界における異物の有無を検出する異物検出回路と、
前記異物検出回路により異物が検出された場合に、前記各系統の前記周波数特性検出回路による検出結果に基づいて、当該異物の位置を検出する位置検出回路と、
前記位置検出回路により検出された異物の位置に基づいて、前記対応する送信アンテナへの電力の供給を低減又は停止する複数系統の電力制御回路とを備えた
ことを特徴とする共振型送信電源システム。
【発明の詳細な説明】
【技術分野】
【０００１】
この発明は、送信アンテナから発生される電磁界における異物の有無を検出し、異物を検出した場合に電力伝送の低減又は停止を行う共振型送信電源装置及び共振型送信電源システムに関するものである。
【背景技術】
【０００２】
図１７に示すように、従来の電源装置において、異物の有無を検出する機能を有するものが知られている（例えば特許文献１参照）。この特許文献１に開示された電源装置では、送信アンテナ１０１に対し、巻き軸が直交するセンサコイル１０２を複数設け（図１７では１つのみ図示）、当該センサコイル１０２の周囲１０３に存在する異物を検出している。受信アンテナ（不図示）側についても同様に構成されている。
【先行技術文献】
【特許文献】
【０００３】
【特許文献１】特開２０１３−２１５０７３号公報
【発明の概要】
【発明が解決しようとする課題】
【０００４】
しかしながら、従来構成では、異物検出用のセンサコイル１０２を、送信アンテナ１０１、受信アンテナとは別に設ける構成であるため、以下のような課題がある。まず、装置全体がセンサコイル１０２分大型化してしまうという課題がある。すなわち、送信アンテナ１０１、受信アンテナ上にセンサコイル１０２を配置するため、特に高さ（厚み）が増加し、また、質量も増加してしまう。また、送信アンテナ１０１から発生される電磁界の範囲内であっても、送信アンテナ１０１、受信アンテナから離れた遠方に存在する異物、又は送信アンテナ１０１と受信アンテナとの間の中心付近に存在する異物を検出することが困難であるという課題がある。また、異物検出用のセンサコイル１０２を多数必要とするため、コスト増加の原因となるという課題がある。また、異物検出用のセンサコイル１０２を多数駆動する必要があるため、消費電力増加の原因となるという課題がある。【０００５】
この発明は、上記のような課題を解決するためになされたもので、送信アンテナから発生される電磁界における異物の有無を検出することができ、異物を検出した場合に電力伝送の低減又は停止を行うことができる共振型送信電源装置を提供することを目的としている。
【課題を解決するための手段】
【０００６】
この発明に係る共振型送信電源装置は、送信アンテナに設定周期でパルス電圧を入力するパルス入力回路と、パルス入力回路によりパルス電圧が入力された際に、送信アンテナの共振周波数を可変させることで当該共振周波数のスイープを行う共振周波数可変回路と、共振周波数可変回路により共振周波数のスイープが行われた際に、送信アンテナの周波数特性を検出する周波数特性検出回路と、周波数特性検出回路による検出結果に基づいて、送信アンテナから発生される電磁界における異物の有無を検出する異物検出回路と、異物検出回路により異物が検出された場合に、送信アンテナへの電力の供給を低減又は停止する電力制御回路とを備えたものである。
【発明の効果】
【０００７】
この発明によれば、上記のように構成したので、送信アンテナから発生される電磁界における異物の有無を検出することができ、異物を検出した場合に電力伝送の低減又は停止を行うことができる。
【図面の簡単な説明】
【０００８】
【図１】この発明の実施の形態１に係る共振型送信電源装置を備えた共振型電力伝送システムの構成を示す図である。
【図２】この発明の実施の形態１における共振周波数可変回路の構成を示す図である。
【図３】この発明の実施の形態１における共振周波数可変回路の別の構成を示す図である。
【図４】この発明の実施の形態１における可変型インダクタの構成を示す図である。
【図５】この発明の実施の形態１における可変型インダクタの別の構成を示す図である。
【図６】この発明の実施の形態１における可変型インダクタの別の構成を示す図である。
【図７】この発明の実施の形態１における可変型コンデンサの構成を示す図である。
【図８】この発明の実施の形態１に係る共振型送信電源装置により検出される電圧の周波数を示す図であり、（ａ）異物がない場合を示す図であり、（ｂ）誘電体系の異物がある場合を示す図である。
【図９】この発明の実施の形態１に係る共振型送信電源装置により検出される電流の周波数を示す図であり、（ａ）異物がない場合を示す図であり、（ｂ）誘電体系の異物がある場合を示す図である。
【図１０】この発明の実施の形態１に係る共振型送信電源装置により検出される反射電力の周波数を示す図であり、（ａ）異物がない場合を示す図であり、（ｂ）誘電体系の異物がある場合を示す図である。
【図１１】この発明の実施の形態１に係る共振型送信電源装置により検出される電圧と電流との位相差、反射電力、電圧及び電流の各振幅を示す図であり、（ａ）異物がない場合を示す図であり、（ｂ）誘電体系の異物がある場合を示す図である。
【図１２】この発明の実施の形態１に係る共振型送信電源装置により検出される電圧の周波数を示す図であり、（ａ）異物がない場合を示す図であり、（ｂ）磁性体系の異物がある場合を示す図である。
【図１３】この発明の実施の形態１に係る共振型送信電源装置により検出される電流の周波数を示す図であり、（ａ）異物がない場合を示す図であり、（ｂ）磁性体系の異物がある場合を示す図である。
【図１４】この発明の実施の形態１に係る共振型送信電源装置により検出される反射電力の周波数を示す図であり、（ａ）異物がない場合を示す図であり、（ｂ）磁性体系の異物がある場合を示す図である。
【図１５】この発明の実施の形態１に係る共振型送信電源装置により検出される電圧と電流との位相差、反射電力、電圧及び電流の各振幅を示す図であり、（ａ）異物がない場合を示す図であり、（ｂ）磁性体系の異物がある場合を示す図である。
【図１６】この発明の実施の形態２に係る共振型送信電源システムを備えた共振型電力伝送システムの構成を示す図である。
【図１７】従来の電源装置の構成を示す図である。
【発明を実施するための形態】
【０００９】
以下、この発明の実施の形態について図面を参照しながら詳細に説明する。
実施の形態１．
図１はこの発明の実施の形態１に係る共振型送信電源装置１を備えた共振型電力伝送システムの構成を示す図である。
共振型電力伝送システムは、電気信号を含む電力を伝送するものである。この共振型電力伝送システムは、図１に示すように、共振型送信電源装置１、送信アンテナ２、受信アンテナ３及び受信電源装置４から構成されている。
【００１０】
共振型送信電源装置１は、送信アンテナ２の前段に配置され、送信アンテナ２への電力の供給を制御するものである。また、共振型送信電源装置１は、図１に破線で示す送信アンテナ２から発生される電磁界（送受信アンテナ２，３間の電力伝送空間及びその近傍を含む空間）における異物の有無を検出する機能と、異物を検出した場合に送信アンテナ２への電力の供給を低減又は停止する機能も有している。異物には、誘電体系の異物（人の手、動物等）と、磁性体系の異物（金属等）が含まれる。この共振型送信電源装置１の詳細については後述する。
送信アンテナ２は、共振型送信電源装置１からの電力を、受信アンテナ３に伝送するものである（非接触に限定されない）。
【００１１】
受信アンテナ３は、送信アンテナ２からの電力を受信するものである（非接触に限定されない）。この受信アンテナ３により受信された電力は受信電源装置４を介して負荷機器等（不図示）に供給される。
受信電源装置４は、受信アンテナ３と負荷機器等間に配置され、受信アンテナ３により受信された電力（交流出力）を整流するものである。この受信電源装置４は、ＡＣ入力−ＤＣ出力型又はＡＣ入力−ＡＣ出力型の電源回路である。
なお、無線電力伝送の場合における共振型電力伝送システムの伝送方式は特に限定されるものではなく、磁界共鳴による方式、電界共鳴による方式、電磁誘導による方式のいずれであってもよい。
【００１２】
次に、共振型送信電源装置１の構成について説明する。
共振型送信電源装置１は、共振周波数可変回路１１、周波数特性検出回路１２及び電源制御回路１３から構成されている。
【００１３】
共振周波数可変回路１１は、電源制御回路１３の後述する可変回路制御回路１３５による制御に従い、パルス入力回路１３４によりパルス電圧が入力された際に、送信アンテナ２の共振周波数を可変させて共振周波数のスイープ検出を行うものである。この共振周波数可変回路１１の詳細については後述する。
【００１４】
周波数特性検出回路１２は、共振周波数可変回路１１により共振周波数のスイープ検出が行われた際に、送信アンテナ２の周波数特性を検出するものである。この周波数特性検出回路１２は、周波数特性として、送信アンテナ２から電力伝送できずに戻ってくる電力（反射電力）、送信アンテナ２に入力される電圧、電流の各周波数、電圧と電流との位相差、反射電力、電圧及び電流の各振幅を検出する。
【００１５】
電源制御回路１３は、周波数特性検出回路１２による検出結果に基づいて送信アンテナ２から発生される電磁界における異物の有無を検出し、異物を検出した場合に送信アンテナ２への電力の供給を低減又は停止するものである。この電源制御回路１３は、高周波の交流出力をするインバータ回路１３１と、その出力を制御する制御回路１３２とから構成されている。インバータ回路１３１は、ＡＣ入力−ＡＣ出力型又はＤＣ入力−ＡＣ出力型のインバータ電源回路である。制御回路１３２は、制御パターン記憶回路１３３、パルス入力回路１３４、可変回路制御回路１３５、異物検出回路１３６及び電力制御回路１３７から構成されている。
【００１６】
制御パターン記憶回路１３３は、異物検出及び電力制御に関する情報を記憶するメモリである。この制御パターン記憶回路１３３に記憶される情報には、異物検出回路１３６で異物検出を行う際に用いる周波数特性（反射電力、電圧及び電流の各周波数、電圧と電流との位相差、反射電力、電圧及び電流の各振幅）に対する閾値を示す情報、当該周波数特性を用いて検出可能な異物の種別（誘電体系、磁性体系）を示す情報、異物の種別に応じた電力制御回路１３７での制御内容（誘電体系の異物の場合には電力供給停止、磁性体系の異物の場合には電力供給低減等）を示す情報が含まれる。
【００１７】
パルス入力回路１３４は、送信アンテナ２に設定周期でパルス電圧を入力するものである。
可変回路制御回路１３５は、パルス入力回路１３４によりパルス電圧が入力された際に、送信アンテナ２の共振周波数を可変させて共振周波数のスイープ検出を行わせるよう共振周波数可変回路１１を制御するものである。
【００１８】
異物検出回路１３６は、制御パターン記憶回路１３３に記憶された情報に基づいて、周波数特性検出回路１２による検出結果に基づいて、送信アンテナ２から発生される電磁界における異物の有無を検出するものである。
電力制御回路１３７は、異物検出回路１３６により異物が検出された場合に、制御パターン記憶回路１３３に記憶された情報に基づいて、送信アンテナ２への電力の供給を低減又は停止するものである。
【００１９】
次に、共振周波数可変回路１１の構成について、図２，３を参照しながら説明する。
図２に示す共振周波数可変回路１１は、可変型コンデンサＣ３と、この可変型コンデンサＣ３の容量値を可変する可変制御回路１１１から構成されている。また、図３に示す共振周波数可変回路１１は、可変型コンデンサＣ１，Ｃ２，Ｃ３及び可変型インダクタＬ１と、可変型コンデンサＣ１，Ｃ２，Ｃ３の容量値及び可変型インダクタＬ１のインダクタンス値（Ｌ値）を可変する可変制御回路１１１とから構成されている。
【００２０】
次に、可変型インダクタＬ１の構成例について、図４〜６を参照しながら説明する。
図４は、電子部品としてモータ制御回路１１３を用い、このモータ制御回路１１３によりコイル１１２の磁路長を自動で可変させるタイプの可変型インダクタＬ１である。この構成では、可変制御回路１１１により、モータ制御回路１１３を駆動させてコイル１１２の磁路長を物理的に可変させることで、インダクタンス値を可変させる。なお図４（ａ），（ｂ）において、コイル１１２のターン数は同じである。
【００２１】
また図５は、電子部品として電界効果トランジスタ（ＦＥＴ；Ｆｉｅｌｄ  ｅｆｆｅｃｔ  ｔｒａｎｓｉｓｔｏｒ）１１４を用い、このＦＥＴ１１４によりコイル１１２の巻き数を自動で調整するタイプの可変型インダクタＬ１である。この構成では、コイル１１２の各巻き数点にＦＥＴ１１４を接続し、可変制御回路１１１により各ＦＥＴ１１４のＯＮ／ＯＦＦを切替えて、又はパルス幅変調（ＰＷＭ）等を切替えて、コイル１１２の巻き数を可変させることで、インダクタンス値を可変させる。なおＦＥＴ１１４は、Ｓｉ−ＭＯＳＦＥＴ、ＳｉＣ−ＭＯＳＦＥＴ、ＧａＮ−ＦＥＴ、ＲＦ（Ｒａｄｉｏ  Ｆｒｅｑｕｅｎｃｙ）用ＦＥＴなどの素子、又は、これらの素子を直列接続してボディダイオードをＯＦＦ型に構成したものである。
【００２２】
また図６は、電子部品としてＦＥＴ１１４を用い、このＦＥＴ１１４によりコイル１１２の並列接続を自動で可変するタイプの可変型インダクタＬ１である。この構成では、並列接続された各コイル１１２にＦＥＴ１１４を接続し、可変制御回路１１１により各ＦＥＴ１１４のＯＮ／ＯＦＦを切替えて、又はパルス幅変調（ＰＷＭ）等を切替えて、コイル１１２の並列接続を可変させることで、インダクタンス値を可変させる。なおＦＥＴ１１４は、Ｓｉ−ＭＯＳＦＥＴ、ＳｉＣ−ＭＯＳＦＥＴ、ＧａＮ−ＦＥＴ、ＲＦ用ＦＥＴなどの素子、又は、これらの素子を直列接続してボディダイオードをＯＦＦ型に構成したものである。
【００２３】
次に、可変型コンデンサＣ１，Ｃ２，Ｃ３の構成例について、図７を参照しながら説明する。
図７は、電子部品としてＦＥＴ１１６を用い、このＦＥＴ１１６によりコンデンサ１１５の並列接続を自動で可変するタイプの可変型コンデンサＣ１，Ｃ２，Ｃ３である。この構成では、並列接続された各コンデンサ１１５にＦＥＴ１１６を接続し、可変制御回路１１１により各ＦＥＴ１１６のＯＮ／ＯＦＦを切替えて、又はパルス幅変調（ＰＷＭ）等を切替えて、コンデンサ１１５の並列接続を可変させることで、容量値を可変させる。なおＦＥＴ１１６は、Ｓｉ−ＭＯＳＦＥＴ、ＳｉＣ−ＭＯＳＦＥＴ、ＧａＮ−ＦＥＴ、ＲＦ用ＦＥＴなどの素子、又は、これらの素子を直列接続してボディダイオードをＯＦＦ型に構成したものである。
【００２４】
次に、上記のように構成された共振型送信電源装置１の動作について、図８〜１５を参照しながら説明する。なお以下では、共振型電力伝送システムの伝送周波数は６．７８ＭＨｚ帯であるとする。
共振型電力伝送システムでは、ＡＣ又はＤＣ電力が共振型送信電源装置１の電源制御回路１３に供給され、電源制御回路１３のインバータ回路１３１は高周波の交流出力を送信アンテナ２へ供給する。送信アンテナ２へ供給された電力は、その交流周波数に共振して、送信アンテナ２から受信アンテナ３へ伝送される。受信アンテナ３で受信された電力は、受信電源装置４へ交流出力される。そして、受信電源装置４は、その電力を整流して、ＤＣ又はＡＣ出力する。
一方、共振型送信電源装置１では、送信アンテナ２へ低周波ｋＨｚ帯のパルス電圧を設定周期で入力することで、ＭＨｚ帯の高調波成分により、送信アンテナ２の共振周波数をスイープ検出する。そして、その際の周波数特性を周波数特性検出回路１２により検出し、電源制御回路１３へその特性を示す信号を送っている。そして、電源制御回路１３の制御回路１３２では、送信アンテナ２から発生される電磁界における異物の有無を検出することで、送信アンテナ２への交流出力を制御している。
【００２５】
ここで、送信アンテナ２から発生される電磁界に異物が存在しない場合には、送信アンテナ２からの反射電力の周波数、送信アンテナ２に入力される電圧の周波数、送信アンテナ２に入力される電流の周波数、電圧と電流との位相差、反射電力、電圧及び電流の各振幅は、図８（ａ）〜１５（ａ）に示すようになる。
【００２６】
一方、送信アンテナ２から発生される電磁界に誘電体系の異物（人の手、動物等）が存在する場合には、電圧の周波数は、図８（ｂ）に示すような波形となる。すなわち、異物の影響により伝送周波数における電圧の振幅が下がり、また、伝送周波数とは異なる周波数で異物による共振が発生する。
また、誘電体系の異物が存在する場合には、電流の周波数は、図９（ｂ）に示すような波形となる。すなわち、異物の影響により伝送周波数における電流の振幅が下がり、また、伝送周波数とは異なる周波数で異物による共振が発生する。
また、誘電体系の異物が存在する場合には、反射電力の周波数は、図１０（ｂ）に示すような波形となる。すなわち、異物の影響により伝送周波数における反射電力が増加し、また、伝送周波数とは異なる周波数で異物による共振が発生する。
【００２７】
また、誘電体系の異物が存在する場合には、電圧と電流との位相差、反射電力、電圧及び電流の各振幅は、図１１（ｂ）に示すような波形となる。すなわち、図１１の上段に示すように、異物により電力伝送が遮られるため、異物がない場合に対して反射電力が増加する。また、図１１の下段に示すように、電圧と電流との位相差は大きくなり、電圧及び電流の各振幅は変化する。
そして、電源制御回路１３は、誘電体系の異物を検出した場合には、例えば送信アンテナ２への電力の供給を停止する。
【００２８】
一方、送信アンテナ２から発生される電磁界に磁性体系の異物（金属等）が存在する場合には、電圧の周波数は、図１２（ｂ）に示すような波形となる。すなわち、異物の影響により伝送周波数における電圧の振幅が増加し、また、伝送周波数とは異なる周波数で異物による共振が発生する。
また、磁性体系の異物が存在する場合には、電流の周波数は、図１３（ｂ）に示すような波形となる。すなわち、異物の影響により伝送周波数における電流の振幅が下がり、また、伝送周波数とは異なる周波数で異物による共振が発生する。
また、磁性体系の異物が存在する場合には、反射電力の周波数は、図１４（ｂ）に示すような波形となる。すなわち、異物の影響により伝送周波数における反射電力が増加し、また、伝送周波数とは異なる周波数で異物による共振が発生する。
【００２９】
また、磁性体系の異物が存在する場合には、電圧と電流との位相差、反射電力、電圧及び電流の各振幅は、図１５（ｂ）に示すような波形となる。すなわち、図１５の上段に示すように、異物により電力伝送が遮られるため、異物がない場合に対して反射電力が増加する。また、図１５の下段に示すように、電圧と電流との位相差が変化し、電圧の振幅が増加し、電流の振幅が減少する。
そして、電源制御回路１３は、磁性体系の異物を検出した場合には、例えば送信アンテナ２への電力の供給を低減する。
【００３０】
以上のように、この実施の形態１によれば、設定周期で送信アンテナ２にパルス電圧を入力し、送信アンテナ２の共振周波数を可変させて共振周波数のスイープ検出を行い、その際の送信アンテナ２の周波数特性の検出を行うように構成したので、送信アンテナ２から発生される電磁界における異物の有無を検出することができ、異物を検出した場合に送信アンテナ２への電力の供給を低減又は停止することができる。
また、異物検出において従来構成のような異物検出用のセンサコイル１０２等が不要なため、送受信アンテナ２，３を小型・軽量に構成することができる。また、送信アンテナ２から発生される電磁界における送信アンテナ２から離れた遠方、又は送受信アンテナ２，３の中心付近に存在する異物も検出することができる。また、センサコイル１０２等の追加装置が不要なため、低コスト化を図ることができる。また、センサコイル１０２等の追加装置を駆動する必要もないため、低消費電力化を図ることができる。
【００３１】
なお図１に示す周波数特性検出回路１２では、反射電力、電圧及び電流の各周波数、電圧と電流との位相差、反射電力、電圧及び電流の各振幅を全て検出する場合について示したが、これに限るものではなく、異物の検出精度は低下するが検出項目を削除しても構わない。ただし、反射電力、電圧及び電流の各周波数のうちのいずれか１つは検出する必要がある。
【００３２】
また図１に示す共振周波数可変回路１１は、受信アンテナ３の入力インピーダンスの変化に応じて送受信アンテナ２，３の共振結合インピーダンスを調整する際に、送信アンテナ２の共振インピーダンスを調整する（送受信アンテナ２，３間の共振条件を合わせる）共振インピーダンス調整回路として共通化が可能であり、低コスト化を図ることができる。
【００３３】
実施の形態２．
実施の形態２では、送受信系（共振型送信電源装置１、送信アンテナ２及び受信アンテナ３）を複数系統設け、各々逆位相かつ同一の固定周波数で電力伝送を行う場合について示す。なおこの場合、複数系統の共振型送信電源装置１は本発明の共振型送信電源システムを構成する。図１６はこの発明の実施の形態２に係る共振型送信電源システムを備えた共振型電力伝送システムの構成を示す図である。図１６に示す実施の形態２に係る共振型電力伝送システムは、図１に示す実施の形態１に係る共振型電力伝送システムの送受信系を２系統設け、共振型送信電源装置１の電源制御回路１３に位置検出回路１３８を追加したものである。また、各系統の電源制御回路１３は接続線で接続されており、各周波数特性検出回路１２による検出結果を共有することができる。その他の構成は同様であり、同一の符号を付して異なる部分についてのみ説明を行う。
【００３４】
位置検出回路１３８は、異物検出回路１３６により異物が検出された場合に、各系統の周波数特性検出回路１２による検出結果（波形の違い）に基づいて、当該異物の位置を検出するものである。
また、電力制御回路１３７は、位置検出回路１３８により検出された異物の位置に基づいて、対応する送信アンテナ２への電力の供給を低減又は停止する。
【００３５】
これにより、異物がいずれの送受信系側に位置しているのかがわかる。また、異物が送受信アンテナ２，３の直近に位置するのか、送信アンテナ２と受信アンテナ３との間の中心付近に位置するのかがわかる。そして、異物が送受信アンテナ２，３の直近に存在する場合には、その異物がゴミであると判断でき、異物が中心付近に位置する場合には、その異物は人の手や動物等であると判断できる。また、異物が移動物体であるかも判断することができる。よって、異物の検出精度が向上する。
【００３６】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３７】
この発明に係る共振型送信電源装置は、送信アンテナから発生される電磁界における異物の有無を検出することができ、異物を検出した場合に電力伝送の低減又は停止を行うことができ、送信アンテナへの電力の供給を制御する共振型送信電源装置等に用いるのに適している。
【符号の説明】
【００３８】
１  共振型送信電源装置、２  送信アンテナ、３  受信アンテナ、４  受信電源装置、１１  共振周波数可変回路、１２  周波数特性検出回路、１３  電源制御回路、１１１  可変制御回路、１１２  コイル、１１３  モータ制御回路、１１４  ＦＥＴ、１１５  コンデンサ、１１６  ＦＥＴ、１３１  インバータ回路、１３２  制御回路、１３３  制御パターン記憶回路、１３４  パルス入力回路、１３５  可変回路制御回路、１３６  異物検出回路、１３７  電力制御回路、１３８  位置検出回路。
【図１】
0005911608.tif 000002
【図２】
0005911608.tif 000003
【図３】
0005911608.tif 000004
【図４】
0005911608.tif 000005
【図５】
0005911608.tif 000006
【図６】
0005911608.tif 000007
【図７】
0005911608.tif 000008
【図８】
0005911608.tif 000009
【図９】
0005911608.tif 000010
【図１０】
0005911608.tif 000011
【図１１】
0005911608.tif 000012
【図１２】
0005911608.tif 000013
【図１３】
0005911608.tif 000014
【図１４】
0005911608.tif 000015
【図１５】
0005911608.tif 000016
【図１６】
0005911608.tif 000017
【図１７】
0005911608.tif 000018